(57)【特許請求の範囲】
【請求項１】
風路内に送風機及び加熱量の制御により複数段に温度が制御された温水が循環する温水熱交換器を備え、被調和室の暖房運転を可能に構成し、被調和室の室温が設定温度に至るように前記温水熱交換器を循環する温水の流量を調節する流量可変弁の開度を設定温度と室温との差に基づいて制御すると共に、暖房運転の開始時に前記室温と設定温度との温度差が第１の所定値を越えている際に前記温水熱交換器を循環する温水の制御される温度を上げる信号を前記温水の温水供給源へ出力する制御装置を備えたことを特徴とする空気調和機。
【請求項２】
前記制御装置は温水の温度を上げる信号を出力した後に設定時間に達した際または前記室温と設定温度との温度差が第１の設定値より小さい第２の設定値以下となった際に前記温水熱交換器を循環する温水の温度を１段下げる信号を前記温水の温水供給源へ出力することを特徴とする請求項１に記載の空気調和機。
【請求項３】
前記制御装置は暖房運転の試運転の際は前記温水熱交換器を循環する温水の温度を上げる信号を前記温水の温水供給源へ出力する動作を行わない構成を備えることを特徴とする請求項１に記載の空気調和機。
【請求項４】
前記制御装置は暖房運転停止の際に前記温水熱交換器を循環する温水の温度が高く設定されている時は、前記送風機の運転停止を遅延させる遅延機構を備えると共に、前記遅延させる時間は温水熱交換器近傍の温度に基づいて算出されることを特徴とする請求項１に記載の空気調和機。
【請求項５】
前記制御装置は、被調和室への供給温度が所定の高温度を超えた際に、前記温水熱交換器を循環する温水の設定温度に基づき、前記流量可変弁により前記温水熱交換器近傍の温度が高くならないように温水の循環量を補正する補正機構を備えることを特徴とする請求項１に記載の空気調和機。
【発明の詳細な説明】
【０００１】
【発明の属する技術分野】
本発明は、温水供給源にて生成された温水によって室内を暖房する空気調和機及びそれを用いた温水回路に関するものである。
【０００２】
【従来の技術】
温水を用いて室内（被調和室）を暖房を行う暖房システムは、例えば特開平７−２１７９１７号公報に示されている。この場合、温水供給源となる熱源機には循環路や放熱器を介して複数の放熱器が接続されており、熱源機にて生成された温水の熱を利用して放熱器にて暖房作用を発揮させるものである。
【０００３】
そして、この放熱器の代表例としては空気調和機や床暖房機が挙げられる。また、この空気調和機などにおける暖房作用の調節は通常は流量可変弁などによって温水流量を制御することによって行われていた。
【０００４】
【発明が解決しようとする課題】
ところで、室温が特に低い状況では迅速な暖房の立ち上がりが期待されるが、係る場合従来では流量可変弁を全開状態にするのみであったため、暖房作用の向上にも限界があった。
【０００５】
本発明は、係る従来の技術的課題を解決するために成されたものであり、温水によって被調和室を暖房する際の立ち上がりを向上させた空気調和機及びそれを用いた温水回路を提供するものである。
【０００６】
【課題を解決するための手段】
請求項１の発明の空気調和機は、風路内に送風機及び加熱量の制御により複数段に温度が制御された温水が循環する温水熱交換器を備え、被調和室の暖房運転を可能に構成し、被調和室の室温が設定温度に至るように温水熱交換器を循環する温水の流量を調節する流量可変弁の開度を設定温度と室温との差に基づいて制御すると共に、暖房運転の開始時に室温と設定温度との温度差が第１の所定値を越えている際に温水熱交換器を循環する温水の制御される温度を上げる信号を温水の温水供給源へ出力する制御装置を備えているものである。
【０００７】
請求項２の発明の空気調和機は、上記において制御装置は温水の温度を上げる信号を出力した後に設定時間に達した際または室温と設定温度との温度差が第１の設定値より小さい第２の設定値以下となった際に温水熱交換器を循環する温水の温度を１段下げる信号を温水の温水供給源へ出力するものである。
【０００８】
請求項３の発明の空気調和機は、請求項１において制御装置は暖房運転の試運転の際は温水熱交換器を循環する温水の温度を上げる信号を温水の温水供給源へ出力する動作を行わない構成を備えるものである。
【０００９】
請求項４の発明の空気調和機は、請求項１において制御装置は暖房運転停止の際に温水熱交換器を循環する温水の温度が高く設定されている時は、送風機の運転停止を遅延させる遅延機構を備えると共に、遅延させる時間は温水熱交換器近傍の温度に基づいて算出されるものである。
【００１０】
請求項５の発明の空気調和機は、請求項１において制御装置は、被調和室への供給温度が所定の高温度を超えた際に、温水熱交換器を循環する温水の設定温度に基づき、流量可変弁により温水熱交換器近傍の温度が高くならないように温水の循環量を補正する補正機構を備えるものである。
【００１１】
係る構成によれば、高暖房能力が必要な起動時に大きな暖房能力が得ることができ、暖房運転の立ち上がり時間を短くすることができる。特に、この高い温度の温水供給条件を規制することによって、空気調和機、特に室内ユニットの異常温度上昇を抑制し、空気調和機の動作を安定化させることができる。
【００１２】
【発明の実施の形態】
以下、図面に基づき本発明の実施形態を詳述する。図１は本発明の空気調和機及びそれを用いた温水回路であり、温水供給源２２から伸びる温水回路２０に床暖房機及び空気調和機が接続されている。
【００１３】
温水供給源は温水回路間に温水を循環させるものであり、温水の温水回路への供給温度を＋６０℃、＋８０℃、＋９０℃（以下、＋を省略する）の３段階に設定することができる。温水の温度制御は温水供給源での温水の加熱量（例えば燃焼量やヒータの加熱量）を制御して行われるものである。
又この温水供給源は、専用の温水供給源に限らず、温水回路に加え一般的な給湯用の温水回路を並列して備えるものであっても良い。
【００１４】
床暖房機は、運転時に図示しない開閉弁を開いて温水回路２０から温水を引き込み循環させた後、再度温水回路２０に戻すものである。このとき床暖房機は温水供給源２２へ６０℃の温水を出湯させるための信号を出力し、温水供給源はこの信号に応答して６０℃の温水を温水回路２０に循環させる。
【００１５】
空気調和機は室内ユニット１と室外ユニット２とから構成されている。図１、図２を参照すると、室内ユニット１は壁掛け型に構成され、その前面には被調和室の空気を吸い込む空気吸入口１ａと、その下方に配置された室内ユニット１で空気調和された調和空気を被調和室に戻す空気吹出口１ｂが設けられている。
【００１６】
図２に示すように室内ユニット１の内部には空気吸込口１ａと空気吹出口１ｂとをつなぐ風路に順にエアフィルタ１ｃ、室内側熱交換器３、送風機４が配置されている。室内側熱交換器３は冷媒回路１０を構成する冷媒の流路１１と温水回路２０からの温水が流れる流路２１（温水熱交換器を構成）とが互いに同じフィンを共有して一体構成されている（冷媒の流れる冷媒用の熱交換器と温水の流れる温水用熱交換器とをそれぞれ独立して構成し、隣接するように配置したものであっても良い）。
【００１７】
温水の流れる流路２１へは流量可変弁２３を開くことによって温水回路２０から温水が供給され、この流路２１で放熱を行った後、再び温水回路２０へ戻る温水循環が行われるものである。尚、このときは床暖房機と同様に温水供給源２２へ８０℃の温水又は９０℃の温水を温水回路２０へ出湯させる信号を出力するものである。
【００１８】
冷媒の流路１１は冷媒の蒸発器又は冷媒の凝縮器として作用させることによって吸込口１ａから吸い込んだ調和空気を冷却または加熱することができる。
【００１９】
送風機４は室内側熱交換器３の風下側に設けられたクロスフローファンであり、この送風機４の作動により空気吸入口１ａから吸入された室内の空気が室内側熱交換器３で冷却または加熱された後、空気吹出口１ｂから再び室内へ吹出されるように構成されている。
【００２０】
また、室内側熱交換器３の下方には室内側熱交換器３から滴下するドレンを受けるためのドレンパン５が、空気吹出口１ｂには調和空気の吐出方向を変えるための風向変更板６がそれぞれ設けられている。
【００２１】
室外ユニット２は屋外据置型に形成され、冷媒回路１０中の熱源側熱交換器１２に通風する送風機７を備えている。
【００２２】
冷媒回路１０は、室内側熱交換器３の冷媒の流路１１と、室外ユニット２に配置された熱源側熱交換器１２と、圧縮機１３と、アキュムレータ１４と、キャピラリーチューブ等の減圧装置１５と、四方弁１６とを有し、室内側熱交換器３の一端は減圧装置１５を介して熱源側熱交換器１２の一端に、室内側熱交換器３の他端は四方弁１６の第１の冷媒出入口１６ａに、熱源側熱交換器１２の他端は四方弁１６の第２の冷媒出入口１６ｂに、四方弁１６の第３の冷媒出入口１６ｃは圧縮機１３の冷媒吐出側に、四方弁１６の第４の冷媒出入口１６ｄは圧縮機１３の冷媒吸入側にアキュムレータ１４を介してそれぞれ冷媒配管で接続されている。
【００２３】
即ち、この冷媒回路１０では、四方弁１６を切り換えて圧縮機１３から吐出する冷媒を図中実線矢印の方向に流通させた場合は、室内側熱交換器３の冷媒の流路１１が蒸発器として作用して冷房運転がなされる。また、四方弁１６を切り換えて圧縮機１３から吐出する冷媒を図中破線矢印の方向に流通させた場合は、室内側熱交換器３の冷媒の流路１１が凝縮器として作用して暖房運転がなされる。この冷媒による暖房運転と温水による暖房運転とを組み合わせることによって大きな暖房能力が得られるが、四方弁１６を用いず冷房運転のみが行えるように冷媒の流れを構成しても良い。
【００２４】
図３は本発明の信号の流れの実施例を示す概略図である。この図において、床暖房機は床暖房制御装置を備え床暖房の開始に伴って６０℃の温水の出湯を要求する信号を信号線介してフィルター機構に出力する。この出湯を要求する信号は床面の発熱温度の平均値が一定になるように間欠的に出力される。また、この床暖房機は、床暖房機を循環する温水の量を、床面の発熱温が一定になるように自動的に制御する構成（温水の流量可変弁など）を備える場合は、床暖房の運転中にわたって出湯を要求するものであっても良い。また、温水の出湯を要求する信号／出湯を停止する信号を出力するものであっても良い。
【００２５】
温水供給源２２は前記温水供給源制御装置を備え、この温水供給源制御装置は、例えば６０℃の温水を要求する信号が与えられた場合には、温水回路２０への出湯温度が６０℃になるように燃焼量（加熱量）を制御するものである。このとき、温水回路２０を循環する温水の水圧はほぼ一定になるように循環ポンプで制御されている。尚、水圧の制御を行わない際はこのポンプに定速のものを用いてもよい。
【００２６】
空気調和機は室内ユニットと室外ユニットとから構成され、夫々のユニットが室内ユニット制御装置、室外ユニット制御装置を備えている。室外ユニット制御装置からは空気調和機の運転状況に応じて６０℃の温水の出湯を要求する信号、８０℃の温水の出湯を要求する信号、９０℃の温水の出湯を要求する信号、停止の信号が出力されるものである。
【００２７】
図４はフィルター機構の概略図であり、温水回路に接続される複数の機器と温水供給源との間で信号の調整を行うものである。機器から出力される信号の形態としては、（１）６０℃の出湯要求の信号のみを出力するもの（本実施例の床暖房機）、すなわち共通線（アース線）に対して端子Ａに電圧信号を印加するもの。端子Ｂ、Ｃ開放状態、（２）６０℃の出湯要求の信号と８０℃の出湯要求の信号を出力するもの、すなわち共通線（アース線）に対して端子Ａ又は端子Ｂに電圧信号を印加するもの。端子Ｃは開放状態、（３）６０℃の出湯要求の信号、８０℃の出湯要求信号、９０℃の出湯要求信号を出力するもの（本実施例の空気調和機）、すなわち共通線（アース線）に対して端子Ａ、Ｂ、Ｃに電圧信号を印加するもの。（４）信号がシリアル通信されるもので、前記（２）、（３）の信号を温度ビットとして送信するものなどがあり、温水供給源としては（１）端子Ａ，Ｂ，Ｃの電位で要求される出湯温度を制御するもの、（２）温度ビットの信号をシリアル通信で判断するものなどがある。
【００２８】
入力側のインターフェースは６回路あり、機器を６台接続することができる。そのうちの３回路にはスタティック入力とシリアル入力との切り換えスイッチが設けられ、両方の入力に対応することができるように構成されている。空気調和機からの信号線をインターフェース回路に接続する際は、スイッチでシリアル入力を有効にすると共に、端子Ａと共通線間に信号線を接続する。
【００２９】
床暖房機からの信号線を接続する際は、端子Ａと共通線間に信号線を接続する。尚、他の機器で８０℃温度の出湯、９０℃温度の出湯を要求する信号が出力されるときは、信号線をそれぞれ端子Ｂ、端子Ｃに接続すれば良い。
【００３０】
出湯信号の形態は図５のように定義される。（スタティックの場合は共通線に対する電位であり、シリアルの場合は該当ビットの状態である。）
尚、各インターフェースの電位の状態は、スタティックの場合では制御部がスキャンして判断し、シリアルの場合はリーダーコードに続く一連のデータを読み込んだ後、該当ビットの状態を判断している。また、温水供給源もこの信号形態に応じて動作するものであり、スタティック／シリアルの出力切換はスイッチによって行われるので、温水供給源の信号形態に合わせることできる。
【００３１】
図６に示すフィルター機構の動作フローチャートでは、まず入力端子の状態をスキャンして記憶しておき、その記憶された状態に基づいて、先ずいずれの端子にも６０℃、８０℃、９０℃の出湯を求める信号がなければ温水供給源を停止させる信号を出力する。
【００３２】
次ぎにいずれかの端子に８０℃の出湯を求める信号が有れば、すなわちいずれかの機器が８０℃の出湯を要求していれば、他の機器に６０℃の出湯要求、又は、９０℃の出湯要求があっても温水供給源へは８０℃の温水供給信号を出力する。
【００３３】
次ぎに８０℃の出湯要求の信号がなく、且つ、いずれかの機器が６０℃の出湯を要求していれば、他の機器に９０℃の出湯要求があっても温水供給源へは６０℃の温水供給信号を出力する。
【００３４】
次ぎに、さらに８０℃の出湯要求及び６０℃の出湯要求がなく、９０℃の出湯要求のみがある時には温水供給源へ９０℃の温水供給信号を出力するものである。
【００３５】
以後、夫々の入力端子の状態に基づいて温水供給源へ出力する温度信号を選択して出力するものである。また、６０℃の出湯要求のみの際に９０℃の出湯要求が有った際には、上記のフローチャートでは６０℃の出湯要求が温水供給源に出力されるが、オプションスイッチを有効にしてこの条件の時に限り８０℃の出湯要求を温水供給源へ出力するようにしても良い。
【００３６】
このようなフイルター機構によって出湯温度の優先順が、８０℃＞６０℃＞９０℃に順番付けされる。
【００３７】
尚、このフィルター機構は温水供給源から分離された制御回路として構成したが、このフィルター機構を温水供給源制御装置中に組み込んでもよく、また、空気調和機の制御装置にこのフィルター機構を組み込んでも良い。このときは他の機器の信号が空気調和機に集まるように配線する。
【００３８】
図７は室内ユニット制御装置、図８は室外ユニット制御装置であり、図９は温水供給源制御装置である。
室内ユニット１の制御系は、図７に示すように、マイコン３０と、マイコン３０からの信号で室内側ファンモータＭ１を駆動するモータ駆動回路３１と、モータ駆動回路３１を介して室内側ファンモータＭ１に電力を供給するモータ用電源回路３２と、マイコン３０に電力を供給する制御用電源回路３３と、室内ユニット１の操作用スイッチが設けられたスイッチ基板３４と、ワイヤレスリモコンからの遠隔操作信号（ＯＮ／ＯＦＦ信号，冷房／暖房／除湿モードの切換信号，室内温度の設定信号，タイマ予約信号等）を受信し、この遠隔操作信号を復調してマイコン３０に供給する受信器３５と、運転状態の表示（運転表示，タイマ予約表示，異常表示）を行う表示板３６と、風向変更板を駆動するフラップモータＭ２とを備え、モータ用電源回路３２及び制御用電源回路３３は整流回路３７を介して給電用のプラグに接続されている。
【００３９】
また、マイコン３０には、室内の温度を検出する室内温度センサ３８と、室内の湿度を検出する湿度センサ３９と、室内側熱交換器３の温水が流れる流路２１の温度を検出する温水温度センサ４０が接続され、これらセンサの検出値はマイコン３０がＡ／Ｄ変換して取り込む。
【００４０】
更に、マイコン３０にはドライバ４１を介してパルスモータ（ＰＭ）駆動回路４２及び温水の流量を制御する流量可変弁２３が接続され、この流量可変弁２３の開度はマイコン３０からの信号によって制御される。この流量可変弁２３は全開〜全閉までが４０００パルスの範囲でその開度が分割されており、ＰＭ駆動回路４２による開度変更用のパルスの出力速度は全開から全閉に至る時間が３０秒〜４０秒の範囲に収まるように設定されている。また、マイコン３０からの信号により室内側ファンモータＭ１の回転数が制御される。
【００４１】
室内ユニット１には端子Ｔ１，Ｔ２，Ｔ３が設けられ、交流電力が端子Ｔ１，Ｔ２を介して室外ユニット２に送られ、マイコン３０からの制御信号がシリアル回路４３、端子Ｔ３を介して室外ユニット２に送られる。
【００４２】
室外ユニット２の制御系は、図８に示すように、マイコン５０と、マイコン５０からの信号で圧縮機１３を駆動するモータ駆動回路５１と、マイコン５０に電力を供給する制御用電源回路５２と、温水回路２０の温水供給源２２へ前記した書式の信号を出力するシリアル回路５３（フィルター機構の端子Ａと共通端子ＣＯＭに接続される）とを備える。
【００４３】
室外ユニット２には室内ユニット１に対応する端子Ｔ１，Ｔ２，Ｔ３が設けられ、端子Ｔ１，Ｔ２に与えられた室内ユニット１からの電力はバリスタ５５、ノイズフイルタ５６、倍電圧回路５７、ノイズフイルタ５８及び平滑回路５９を介してモータ駆動回路５１、及び、制御用電源回路５２供給される。端子Ｔ１を流れる電流は変流器６０（Ｃ．Ｔ．）で検出され、電流検出回路６１を介してマイコン５０に与えられる。
【００４４】
また、端子Ｔ３に送られた室内ユニット１からの制御信号はシリアル回路６２を介してマイコン５０に与えられる。マイコン５０にはドライバ６３、トライアック６４、風量調節回路６５を介して室外側ファンモータＭ３が接続され、同様にドライバ６３を介して冷媒回路１０の四方弁１６が接続されている。
【００４５】
マイコン５０からの信号により四方弁１６の切換動作及びファンモータＭ３の回転数制御が行われる。また、マイコン５０には、外気の温度を検出する外気温度センサ６６と、圧縮機１３の吐出側の冷媒温度を検出する吐出温度センサ６７とが接続され、これらセンサの検出値はマイコン５０がＡ／Ｄ変換して取り込む。
【００４６】
温水供給源２２の制御系は、図９に示すように、熱源機制御回路６９から成る。この熱源機制御回路６９には温水供給源２２の吐出側の温水の温度を検出する吐出温度センサ６８が接続され、吐出温度センサ６８の検出値に基づいて温水回路２０が制御される。
【００４７】
以上のように構成された空気調和機において冷房運転を行う場合は、四方弁１６の第１の冷媒出入口１６ａと第４の冷媒出入口１６ｄ、第２の冷媒出入口１６ｂと第３の冷媒出入口１６ｃをそれぞれ連通させて圧縮機１３を作動させる。これにより、冷媒回路１０の冷媒は図１の実線で示すように冷房サイクルで循環し、室内側熱交換器３の冷媒の流路１１で蒸発、熱源側熱交換器１２で凝縮する。
【００４８】
その結果、室内側熱交換器３で冷却された空気が室内ユニット１から吹き出され、室内の冷房が行われる。その際、予め入力された設定温度と室内温度センサ３８の検出温度とに基づいて圧縮機１３の運転が制御され、室内がこの設定温度に保たれる。
【００４９】
また、前記空気調和機において暖房運転を行う場合は、流量可変弁２３を開き、温水供給源２２に出湯の信号を送る。これにより、温水回路２０から温水が図１の実線で示すように循環する。その結果、室内側熱交換器３の温水の流路２１で加熱された空気が室内ユニット１から吹き出され、室内の暖房が行われる。
【００５０】
その際、予め入力された設定温度と室内温度センサ３８の検出温度に基づいて流量可変弁２３の開度が制御され、室内が設定温度に保たれる。以下、図１０、図１１のフローチャートに基づいて係る温水を用いた暖房運転を説明する。図１０のフローチャートにおいて、ステップＳ１で設定温度と室温との差を求め、この差に基づいて温水の流量可変弁２３の開度を０（全閉）〜４０００（全開）の範囲で室温が設定値に成るように調整するものである。この弁開度の算出方法としては温度差と温度差の変化量を基にファジー演算を行うものや、ＰＩＤ制御によるものなどを用いることができるので特に限定するものではない。
【００５１】
ステップＳ２ではステップＳ１で求めた流量可変弁２３の弁開度や設定温度と室温との温度差や室温等に基づいて温水供給源２２へ出湯を要求する温水の温度をＯＦＦ（０℃）、６０℃、８０℃の中から設定する。被調和室の暖房負荷が大きいときに出湯温度が高くなるように関連づけられている。
【００５２】
９０℃の温水の出湯を要求する機能がないものでは、このステップＳ１、ステップＳ２に続いてステップＳ９へ進み、ステップＳ２で設定された温度の温水を要求する信号を温水供給源２２へ出力して暖房運転の制御が行われる。
【００５３】
また、この流量可変弁２３の開度を演算するステップ及び出湯温度の変更は約３分間隔で行われるものであり、頻繁な変更やチャタリングを抑制している。
【００５４】
ステップＳ３では試運転中か否かの判断を行い、試運転中の場合はステップＳ９へ進み、試運転中でない場合はステップＳ４へ進む。
【００５５】
ステップＳ４では暖房運転を開始してから３０分経過したか否かの判断を行い３０分を経過しているならばステップＳ９へ進む。従って、温水による暖房運転を開始してから３０分を越えると６０℃もしくは８０℃の出湯のみになるものである。この時間は３０分に限定されものでなくシステム全体の暖房能力や空調負荷の大きさによって最適に設定されるものである。
【００５６】
暖房運転開始から３０分以内であればステップＳ５、ステップのＳ６で出湯温度が６０℃に設定されているか、８０℃に設定されているかを判断する。
【００５７】
次いで、設定温度が８０℃に設定されているときにはステップＳ７で設定温度と室温との差（設定温度−室温）が３℃より大きいか否かを判断し、この条件が満たされるときにステップＳ８へ進み温水の出湯温度を９０℃にセットする。次いでステップＳ９でこのセットされた出湯温度を温水供給源２２へ出力するものである。
尚、本実施例ではステップＳ７の条件判断で９０℃の出湯の設定と解除とを行っている（９０℃の出湯を設定する３℃（第１の設定温度）と９０℃の出湯を解除する３℃（第２の設定温度）とを一致させているが、出湯温度を変更する周期を１分、３０秒と短くする場合には第２の設定温度を２℃、１．５℃と第１の設定温度より小さくしてチャタリングを防止する。従って、第１の設定温度と第２の設定温度とは一致させても良く、また異なる値に設定しても良いものである。
【００５８】
このように、温水による暖房運転の開始から３０分以内で室温と設定温度との差が３℃以上の条件でさらに、試運転中でなく、ステップＳ２での出湯温度の設定が８０℃のときに温水供給源２２へ９０℃の出湯を要求する信号が出力されるものである。尚、これらの条件が満たされないときにはステップＳ２で求められた温度の出湯を要求する信号が温水供給源２２へ出力されるものである。
【００５９】
また、ステップＳ７の判断で用いられた「３℃」の温度差はこれに限るものでなく、室温が高いときには大きく、室温が低いときには小さく成るように変えても良いものである。すなわち、室温が高いときには９０℃の出湯を要求し難く、室温が低いときには９０℃の出湯を要求し易くなるものである。
【００６０】
このようなフローチャートに基づいて運転を行っている際に運転停止の操作が成された時は、図１１のステップＳ２１でまず流量可変弁２３を全閉にする。このとき流量可変弁２３の弁開度を変える速度は全閉から全開までに３０秒〜４０秒かかるように設定されているので、この流量可変弁２３が急激に閉じてウオーターハンマーなどの不具合が起こるのを抑制している。
【００６１】
ステップＳ２２では出湯温度が９０℃に設定されているか否かの判断を行う。湯温が９０℃に設定されていないときにはステップＳ２３で温水供給源（フィルター機構）に出湯停止の信号を出力すると共に、ステップＳ２４、ステップＳ２５へ進み、送風ランプを消灯し、送風機を停止して暖房運転を停止させる。
【００６２】
湯温が９０℃に設定されているときは、ステップＳ２６で温水供給源（フィルター機構）に出湯停止の信号を出力し、次いでステップＳ２７で送風ランプを点灯させたままステップＳ２８で遅延時間の算出を行う。この遅延時間は室内側熱交換器３の温水が流れる流路２１の温度を温水温度センサ４０で検出し、この温度に基づいて算出される。この遅延時間は暖房運転停止後、室内側熱交換器３の温度が送風機の送風によって少なくとも８０℃以下（６０℃近くが好ましい）になる時間である。尚、この遅延時間は算出を行う代わりに３０秒位に固定してもよいものである。
【００６３】
次いでこの算出された遅延時間をステップＳ２９で計時し、この遅延時間の経過後にステップＳ２４、ステップＳ２５へ進み送風ランプを消灯し、送風機を停止して暖房運転を停止させる。
【００６４】
図１２は高負荷防止の制御を示す説明図であり、暖房運転時に室内ユニット１から被調和室に供給される温風の温度がＴａ℃を越えた際に機能するものであり、出湯温度が６０℃又は８０℃の時と出湯温度が９０℃の時とで異なる。
【００６５】
出湯温度が６０℃又は８０℃の時は、温風の温度がＴｂ℃より小さくＴａ℃以上の時には流量可変弁２３の開く方向への変更を禁止、温風の温度がＴｂ℃以上の時には流量可変弁２３を２ｓｔｅｐ毎に閉じるものである。この流量可変弁２３を閉じる周期は３分毎であり、この３分の周期はステップＳ１で流量可変弁２３の開度を算出する周期と同じである。すなわち、このステップＳ１で新たに算出された流量可変弁２３の開度に対してこの補正や規制を行うものである。
【００６６】
出湯温度が９０℃の時は温風の温度がＴｃ℃より小さくＴｂ℃以上の時には流量可変弁２３の開く方向への変更を禁止、温風の温度がＴｃ℃以上の時には流量可変弁を２ｓｔｅｐ毎に閉じるものである。
【００６７】
以上のような制御を行うことによって高負荷時の暖房能力の低下を行い、高負荷状態を防止している。
【００６８】
尚、本実施例では高くした温水の温度を約９０℃としたが、暖房用に循環する温水が水であり、沸点が１００℃である点（ポンプによる循環圧力で沸騰しないような温度）、及び、従来の８０℃の温水に対応して企画された機器及び部品を共用する点を考慮して設定したものであり、９０℃前後の温度が最適であった。この循環媒体を温水以外の沸点の高いものに変える場合はその沸点に合わせた最適な温度を設定すればよい。
【００６９】
【発明の効果】
以上詳述した如く本発明によれば、高暖房能力が必要な起動時に大きな暖房能力が得ることができ、暖房運転の立ち上がり時間を短くすることができる。特に、この高い温度の温水供給条件を規制することによって、空気調和機、特に室内ユニットの異常温度上昇を抑制し、空気調和機の動作を安定化させることができるものである。
【図面の簡単な説明】
【図１】  本発明の空気調和機及びそれを用いた温水回路を示す図である。
【図２】  本発明の空気調和機の室内ユニットの断面図である。
【図３】  本発明の制御の流れの実施例を示す概略図である。
【図４】  フィルター機構の概略図である。
【図５】  出湯信号の形態を示す図である。
【図６】  フィルター機構の動作フローチャートである。
【図７】  室内ユニット制御装置のブロック図である。
【図８】  室外ユニット制御装置のブロック図である。
【図９】  温水供給源制御装置のブロック図である。
【図１０】  温水を用いた暖房運転のフローチャートである。
【図１１】  同じく温水を用いた暖房運転のフローチャートである。
【図１２】  高負荷防止の制御を示す説明図である。
【符号の説明】
１  室内ユニット
２  室外ユニット
３  室内側熱交換器
４  送風機
２０  温水回路
２１  温水の流路
２２  温水供給源
２３  流量可変弁
６９  熱源機制御回路
【図１】
0003919046.tif 000002
【図２】
0003919046.tif 000003
【図３】
0003919046.tif 000004
【図４】
0003919046.tif 000005
【図５】
0003919046.tif 000006
【図６】
0003919046.tif 000007
【図７】
0003919046.tif 000008
【図８】
0003919046.tif 000009
【図９】
0003919046.tif 000010
【図１０】
0003919046.tif 000011
【図１１】
0003919046.tif 000012
【図１２】
0003919046.tif 000013